(57)【要約】【課題】弁ユニットの小型・軽量化を図るとともに、機械的な衝撃，衝撃音及びウォーターハンマーを少なくできる吐水器具を提供すること。【解決手段】吐水器具は、吐水口１４と、弁ユニット１５と、制御装置３１とを備える。弁ユニット１５には、給水路４３及び給湯路４４を備える。制御装置３１には、吐水流量を調節するための流量調節スイッチ３４と、吐水温度を調節するための温度調節スイッチ３５とを設ける。前記給水路４３には水側比例制御電磁弁４７を、給湯路４４には湯側比例制御電磁弁４８を設ける。制御装置３１は、水側比例制御電磁弁４７及び湯側比例制御電磁弁４８の開度を別々に制御して、吐止水、流量調節及び温度調節を行なわせる。【選択図】図１
2017226999.tif 000002
【特許請求の範囲】
【請求項１】
吐水のための吐水口と、吐水温度及び吐水流量を設定するために操作される設定手段と、水栓本体機能部とを備え、
前記水栓本体機能部は、
給水源に接続される給水路及び給湯源に接続される給湯路と、前記給水路に設けられた水側比例制御電磁弁及び前記給湯路に設けられた湯側比例制御電磁弁とを備え、
前記設定手段に対する操作に基づいて、前記水側比例制御電磁弁及び湯側比例制御電磁弁の開度を別々に制御する制御手段を備えた吐水器具。
【請求項２】
前記水栓本体機能部は、前記給水路及び前記給湯路の下流側を合流するとともに、前記吐水口に接続された供給路を備えるとともに、供給路内を流れる湯水の温度を検出する吐水温度検出手段と、供給路内を流れる湯水の流量を検出する吐水流量検出手段とを備え、
前記制御手段は、前記吐水温度検出手段及び吐水流量検出手段の検出結果により、前記水側比例制御電磁弁及び湯側比例制御電磁弁の開度を別々に制御する機能を備えた請求項１に記載の吐水器具。
【請求項３】
前記給水路及び給湯路と供給路との間を接続するとともに、水側比例制御電磁弁及び湯側比例制御電磁弁をバイパスするバイパス路と、そのバイパス路を手動により開閉する開閉弁とを備えた請求項２に記載の吐水器具。
【請求項４】
前記水栓本体機能部は、前記給水路、給湯路、供給路、温度検出手段、流量検出手段、水側比例制御電磁弁及び湯側比例制御電磁弁をユニット化したものである請求項２または３に記載の吐水器具。
【発明の詳細な説明】
【技術分野】
【０００１】
本発明は、比例制御電磁弁によって水，湯，水と湯との混合水（以下、混合水という）を吐水するようにした吐水器具に関するものである。
【背景技術】
【０００２】
この種の吐水器具が特許文献１に開示されている。この特許文献１の吐水器具においては、水栓本体機能部に、吐止水を切換えるための開閉弁，吐水流量を調節するための流量調節弁及び吐水温度を調節するための温度調節弁が設けられている。そして、前記開閉弁は２位置切換弁、流量調節弁及び温度調節弁は比例制御電磁弁によって構成されている。
【先行技術文献】
【特許文献】
【０００３】
【特許文献１】特開２００１−２０８２２９号公報
【発明の概要】
【発明が解決しようとする課題】
【０００４】
特許文献１に記載の吐水器具において、前記開閉弁、流量調節弁及び温度調節弁は、前記のように、吐止水の切換え，流量調節及び温度調節をそれぞれ単独で行う単機能の弁であって、合計３台の電磁弁が必要である。このため、３台の電磁弁を有する水栓本体機能部は大きく、大重量になることを回避できない。従って、水栓本体機能部をキッチンキャビネットのアンダーシンク部に据付ける場合に、据付けスペースの面において制約を受けることがあり、このような場合は、据付け位置を任意に選択できないことがある。
【０００５】
また、水栓本体機能部をアンダーシンク部の内部の壁面などに固定する場合、作業者は、両手や上半身をキッチンキャビネットの前面の開口からアンダーシンク部の内部に差し入れて、一方の手で水栓本体機能部を支え、他方の手でネジ止めするという作業を強いられる。この場合、特許文献１に記載の水栓本体機能部のように、大きく、重いものであると、その作業は、労力を要する苦渋作業となる。
【０００６】
さらに、特許文献１の吐水器具においては、水，湯及び混合水の吐止水の切換えが２位置切換弁によって行われるため、その切換えにともなって不快な機械的衝撃及び衝撃音が発生し、場合によっては、ウォーターハンマーが生じるおそれもある。
【０００７】
本発明の目的は、水栓本体機能部を小型・軽量化できる吐水器具を提供することにある。
【課題を解決するための手段】
【０００８】
上記の目的を達成するために、本発明においては、吐水のための吐水口と、吐水温度及び吐水流量を設定するための操作される設定手段と、水栓本体機能部とを備え、前記水栓本体機能部は、給水源に接続される給水路及び給湯源に接続される給湯路と、前記給水路に設けられた水側比例制御電磁弁及び前記給湯路に設けられた湯側比例制御電磁弁とを備え、前記設定手段に対する操作に基づいて、前記水側比例制御電磁弁及び湯側比例制御電磁弁の開度を別々に制御する制御手段を備えたことを特徴とする。
【０００９】
以上の構成においては、一対の比例制御電磁弁の開閉動作によって、吐止水、水量調節及び温度調節を行なうことができて、その一対の比例制御電磁弁に３種類の機能を持たせることができる。従って、電磁弁の数を少なくすることができて、水栓本体機能部の小型・軽量化が可能となり、据付けスペースの制約を少なくできるとともに、据付け作業が容易になる。
【００１０】
また、吐止水が比例制御電磁弁の開度調節によって行なわれるため、２位置切換弁を用いた場合とは異なり、吐止水の切換えにともなう機械的衝撃及び衝撃音の発生をなくすことができ、ウォーターハンマーを抑えることができる。
【発明の効果】
【００１１】
本発明の吐水器具によれば、水栓本体機能部の小型・軽量化が可能となる効果がある。
【図面の簡単な説明】
【００１２】
【図１】吐水器具の全体図。
【図２】バイパス路の系統を示す断面図。
【図３】電気的構成を示すブロック図。
【図４】吐水器具の全体の動作を示すフローチャート。
【図５】水吐水モードを示すフローチャート。
【図６】湯吐水モードを示すフローチャート。
【図７】図４におけるＳ２４，Ｓ２８，Ｓ２９のサブルーチンを示すフローチャート。
【図８】図４におけるＳ２５のサブルーチンを示すフローチャート。
【発明を実施するための形態】
【００１３】
（実施形態）
以下に、本発明を具体化した実施形態を図面に従って説明する。
図１に示すように、本実施形態の吐水器具は、キッチンキャビネット１１の天板１２にスリーブ１３を介して下端部において支持された吐水口１４と、キッチンキャビネット１１のアンダーシンク部１１１の内壁面などに据付けられた水栓本体機能部としての弁ユニット１５とを備えている。
【００１４】
前記吐水口１４は、スリーブ１３内において昇降されるようになっている。スリーブ１３の下端には爪１６が形成され、吐水口１４の下端部には複数の保持溝１７が形成されている。任意に選択された保持溝１７にはリング１８が嵌められる。そして、前記爪１６とリング１８との係合により、吐水口１４が任意の引上げ位置に保持される。従って、この爪１６，保持溝１７及びリング１８により、吐水口１４の保持手段が構成されている。吐水口１４は、本体部１９の先端部に対して着脱可能にした吐水部２０を備え、その吐水部２０には、引き出し可能な可撓性ホース２１が連結されている。
【００１５】
前記可撓性ホース２１は、前記アンダーシンク部１１１の一部に保持されたジョイント２２の二次側に連結されている。前記弁ユニット１５の二次側が前記ジョイント２２の逆止弁２４を有する一次側に連結されている。そして、弁ユニット１５からの水，湯及び混合水が、ジョイント２２，可撓性ホース２１及び吐水口１４を介して、吐水部２０の先端から吐水される。
【００１６】
前記天板１２上には、設定手段としての操作パネル３２が設置されている。操作パネル３２には、吐止水を切換えるための吐止水スイッチ３３，吐止水の流量を調節するための流量調節スイッチ３４，吐止水の温度を調節するための温度調節スイッチ３５、水を限定された量（例えば、３００ｃｃ）だけ吐水するための吐水量限定スイッチ３７及び設定温度などを表示するための表示部３６が設けられている。そして、温度調節スイッチ３５の操作より、後述の水吐出モード，湯吐水モード及び混合水吐水モードのいずれかが選択されて設定される。
【００１７】
次に、前記弁ユニット１５の構成を詳細に説明する。
弁ユニット１５のユニットボディ４１の外側には、ネジ止め部４２が形成されており、このネジ止め部４２において、ネジ（図示しない）により、弁ユニット１５がアンダーシンク部１１１の内壁面（図示しない）などに固定される。
【００１８】
ユニットボディ４１には、給水源（図示しない）に接続された給水路４３と、給湯源（図示しない）に接続された給湯路４４と、給水路４３及び給湯路４４の下流側を合流した供給路４５とが設けられている。供給路４５の先端にはプラグ４６が連結され、このプラグ４６に前記ジョイント２２の一次側が連結されている。
【００１９】
前記給水路４３及び給湯路４４は、中途において屈曲されており、その屈曲部には、それぞれ水側比例制御電磁弁（以下、水側比例弁という）４７及び湯側比例制御電磁弁（以下、湯側比例弁という）４８が設けられている。これらの水側比例弁４７及び湯側比例弁４８は、コイル４７１，４８１、弁体４７２，４８２を有するコア４７３，４８３、スプリング４７４，４８４、弁座４７５，４８５を備えている。
【００２０】
そして、コイル４７１，４８１の非励磁時には、コア４７３，４８３に作用するスプリング４７４，４８４のバネ力により、弁体４７２，４８２が弁座４７５，４８５に接合して水側比例弁４７及び湯側比例弁４８が閉鎖される。また、コイル４７１，４８１の励磁時には、コア４７３，４８３に作用するスプリング４７４，４８４のバネ力に抗して、弁体４７２，４８２が弁座４７５，４８５から離間して、水側比例弁４７及び湯側比例弁４８が開放される。そして、コイル４７１，４８１に対する励磁電流の強弱に応じて、コア４７３，４８３の開放側への移動量が異なり、前記両比例弁４７，４８の開放量，すなわち開度が異なる。従って、励磁電流を連続的に変化させることにより、その励磁電流の強弱に比例して、前記開度が連続的に変化する。
【００２１】
前記供給路４５には、吐水温度検出手段としてのサーミスタよりなる温度センサ５１が設けられ、供給路４５内を流れる水，湯，混合水の温度が検出される。前記プラグ４６には、吐水流量検出手段としての流量センサ５２が設けられ、吐水量を表すプラグ４６内の水，湯，混合水の単位時間当たりの流量が検出される。
【００２２】
図２に示すように、前記給水路４３及び給湯路４４からは、バイパス路５６，５７が分岐されており、このバイパス路５６，５７は、前記ジョイント２２のバイパス接続口５８，５９に接続されている。バイパス接続口５８，５９内には、逆止弁６５，６６が設けられている。バイパス路５６，５７には、ハンドル６２，６３の操作によって開閉される開閉弁６０，６１が介在され、これらの開閉弁６０，６１は、通常時には閉鎖される。そして、停電や機器故障により、前記水側比例弁４７，湯側比例弁４８が開放不能になったときに、ハンドル６２，６３の操作によってバイパス路５６，５７が開放され、水及び湯が給水路４３及び給湯路４４からバイパス路５６，５７を介してジョイント２２内に流れ、吐水口１４の吐水部２０から吐水される。
【００２３】
図１及び図３に示すように、前記アンダーシンク部１１１の内部には、制御手段としての制御装置３１が設置されている。制御装置３１は、本実施形態の吐水器具の動作プログラムを記憶する記憶部３１１と、中央処理装置（ＣＰＵ）よりなる制御部３１２とを備えている。制御装置３１には、前述の吐止水スイッチ３３や水側比例弁４７，湯側比例弁４８などの前述した各種電気機器が電気接続されている。
【００２４】
次に、以上のように構成された吐水器具の作用を説明する。
図４〜図８は、制御装置３１の記憶部３１１に記憶されたプログラムのフローチャートを示すものであって、このプログラムは、制御部３１２の制御のもとに進行する。
【００２５】
吐水が行われない待機状態においては、水側比例弁４７及び湯側比例弁４８のコイル４７１，４８１が非励磁状態であるため、両比例弁４７，４８は閉鎖状態にある。この待機状態においては、温度調節スイッチ３５の操作状態から、水吐水モードであるか、湯吐水モードであるか、混合水モードであるかが常時定期的に判断される。
【００２６】
図４のステップＳ（以下、単にＳという）１において、吐止水スイッチ３３のオンが判断されると、Ｓ２〜Ｓ４において、現状の動作モードが判断される。
すなわち、Ｓ２において、水吐水モードと判断された場合は、図５に示すＳ５において、操作パネル３２の流量調節スイッチ３４によって設定された吐水流量のデータが読み込まれる。そして、Ｓ６において、湯側比例弁４８の閉鎖が維持された状態で、読み込まれた流量を得る開度となるように、水側比例弁４７が開放されて水が吐水されるとともに、吐水流量が流量センサ５２によって検出される。次いで、Ｓ７において、流量センサ５２によって検出された流量が設定流量であるか否かが判断され、設定流量と相違する場合は、Ｓ８において、水側比例弁４７の開度が変更される。このようにして、設定された所要の水吐水流量を得ることができる。そして、Ｓ９において、吐止水スイッチ３３のオフ操作が判断されると、Ｓ１０において、開放されていた水側比例弁４７が閉鎖され、吐水が終了される。
【００２７】
一方、Ｓ３において、湯吐水モードと判断された場合は、図６に示すＳ１１において、操作パネル３２の流量調節スイッチ３４によって設定された流量のデータが読み込まれ、Ｓ１２において、水側比例弁４７の閉鎖が維持された状態で、読み込まれた流量を得る開度となるように、湯側比例弁４８が開放されて、湯が吐水される。そして、Ｓ１３において、流量センサ５２によって検出された吐水流量が設定流量であるか否かが判断され、設定流量と相違する場合は、Ｓ１４において、湯側比例弁４８の開度が変更される。このようにして、設定された所要の湯吐水流量を得ることができる。そして、Ｓ１５において、吐止水スイッチ３３のオフ操作が判断されると、Ｓ１６において、開放されていた湯側比例弁４８が閉鎖され、吐水が終了される。
【００２８】
さらに、前記Ｓ４において、混合水吐水モードと判断された場合は、図４に示すＳ１７において、流量調節スイッチ３４によって設定された混合水の流量データと、温度調節スイッチ３５で設定された混合水の温度データとが読み込まれる。次いで、Ｓ１８において、設定された温度と流量の混合水が得られるように、水側比例弁４７及び湯側比例弁４８の開度が演算される。そして、Ｓ１９において、演算された開度となるように、水側比例弁４７及び湯側比例弁４８が開放される。
【００２９】
次いで、Ｓ２０において、実際に流れた混合水の温度が温度センサ５１によって検出されるとともに、Ｓ２１において同混合水の流量が流量センサ５２によって検出される。
Ｓ２０の判断において、実際に流れた混合水の検出温度が設定温度と異なる場合は、Ｓ２２及びＳ２３において、設定温度に対する混合水の検出温度のずれが高低いずれかの側であるかが判断される。そして、混合水の検出温度が設定温度より高いと判断された場合は、Ｓ２４のサブルーチンにおいて、混合水の流量が変化することなく、混合水の温度が設定温度まで下がるように、水側比例弁４７及び湯側比例弁４８の開度比率が調節される。また、検出温度が設定温度より低いと判断された場合は、Ｓ２５のサブルーチンにおいて、混合水の流量が変化することなく、混合水の温度が設定温度まで上がるように、水側比例弁４７及び湯側比例弁４８の開度比率が調節される。
【００３０】
すなわち、図７に示すように、混合水の温度を下げる前記Ｓ２４のサブルーチンにおいては、Ｓ２４１において、水側比例弁４７及び湯側比例弁４８の開度比率を修正するための演算が実行される。そして、Ｓ２４２において、１．５〜０．３秒程度の遅延時間（例えば、０．５秒）が設定され、前記修正演算の結果に基づいて以下の処理が実行される。すなわち、Ｓ２４３において湯側比例弁４８の開度が低下され、湯の吐出量が絞られる。次いで、Ｓ２４４において遅延時間の終了が判断されると、Ｓ２４５において、所要の吐水温度が得られるように、水側比例弁４７の開度が高くなる。このように、吐水温度を低下させるために、湯側比例弁４８の絞り動作が優先されて、湯の吐水量を減らした後に、水の吐水量を増やす制御が実行される。
【００３１】
図８に示すように、混合水の温度を上げる前記Ｓ２５のサブルーチンにおいては、Ｓ２５１において、水側比例弁４７及び湯側比例弁４８の開度比率を修正するための演算が実行される。次いで、前記Ｓ２５２において遅延時間が設定される。そして、修正演算結果に基づいて以下の処理が実行される。すなわち、Ｓ２５３において水側比例弁４７の開度が高くされるとともに、Ｓ２５４において湯側比例弁４８の開度が少し高くされる。次いで、Ｓ２５５において、遅延時間の終了が判断されると、Ｓ２５６において水側比例弁４７の開度が低下され、Ｓ２５７において湯側比例弁４８の開度がさらに高くされて、所要温度の混合水を得ることができる。以上のように、このＳ２５のサブルーチンにおいては、混合水の温度を上げるために、水側比例弁４７の開放動作及び湯側比例弁４８の絞り動作が優先されて、いったん水の割合を増やすとともに、湯の量を少し増やした後に、水を減らして、湯の量をさらに増やす処理が実行される。
【００３２】
Ｓ２１の判断において、検出された混合水の流量が設定流量と異なる場合は、Ｓ２６及びＳ２７において、流量の多少が判断される。そして、検出流量が多い場合は、Ｓ２８のサブルーチンにおいて、流量が少ない場合は、Ｓ２９のサブルーチンにおいて、混合水に温度変化が生じないように流量が調節される。すなわち、図７に示す混合水の流量を減らすためのＳ２８のサブルーチンにおいては、Ｓ２８１において、水側比例弁４７及び湯側比例弁４８の開度を修正するための演算が実行される。そして、Ｓ２８２において、遅延時間が設定され、前記修正演算の結果に基づいて以下の処理が実行される。すなわち、Ｓ２８３において湯側比例弁４８の開度が低下され、湯の吐出量が絞られる。次いで、Ｓ２８４において遅延時間の終了が判断されると、図７に２点鎖線で示すＳ２８５において、設定された混合水の温度が得られるように、水側比例弁４７の開度が低下される。このように、流量を少なくさせるために、湯側比例弁４８の絞り動作が優先されて、湯の吐水量を減らした後に、水の吐水量を減らす制御が実行される。
【００３３】
また、混合水の流量を増やすためのＳ２９のサブルーチンにおいては、図７に示すＳ２９１において、水側比例弁４７及び湯側比例弁４８の開度を修正するための演算が実行される。そして、Ｓ２９２において、遅延時間が設定され、前記修正演算の結果に基づいて以下の処理が実行される。すなわち、Ｓ２９３において水側比例弁４７の開度が高くされ、水の流量が増加される。次いで、Ｓ２９４において遅延時間の終了が判断されると、２点鎖線で示すＳ２９５において、設定された混合水の温度が得られるように、湯側比例弁４８の開度が高くされる。このように、流量を多くさせるために、水側比例弁４７の開放動作が優先されて、水の吐水量を多くした後に、湯の吐水量を多くする制御が実行される。
【００３４】
そして、Ｓ３０において、吐止水スイッチ３３のオフ操作が判断されると、Ｓ３１において、水側比例弁４７及び湯側比例弁４８が閉鎖され、混合水の吐水が終了される。この混合水の止水に際しては、まず、湯側比例弁４８が閉鎖され、前記と同様に、所定時間の遅延を経て、水側比例弁４７が閉鎖される。
【００３５】
図４に示すように、プログラムのスタートに際して、吐止水スイッチ３３のオンに代えて、Ｓ３２において吐水量限定スイッチ３７がオンされた場合は、Ｓ３３において水側比例弁４７が全開されて、水が吐水される。そして、Ｓ３４において、流量センサ５２の検出によって水の吐水流量が所定の限定量になったと判断されると、Ｓ３５において水側比例弁４７が閉鎖される。なお、吐水量限定スイッチ３７のオンによる限定吐水量は、例えば、吐水量限定スイッチ３７のオン操作時に、流量調節スイッチ３４を同時操作することにより任意に変更可能である。また、限定吐水量を得るための水側比例弁４７の閉鎖制御は、前記のように、流量センサ５２による流量検出に従ってもよく、あるいは、水側比例弁４７の開放時間をカウントすることによって行なってもよい。
【００３６】
本実施形態では、以下の効果を発揮する。
（１）操作パネル３２上の流量調節スイッチ３４及び温度調節スイッチ３５によって設定された流量及び温度の吐水が得られるように、水側比例弁４７及び湯側比例弁４８の開度が別々に調節される。言い換えれば、２台の比例弁４７，４８により、吐止水の切換えを行うことができるとともに、所要流量及び水，湯及び所要温度の混合水を得ることができる。このため、弁ユニット１５に搭載された電磁弁の数を少なくできて、弁ユニット１５を小型・軽量化できる。従って、アンダーシンク部１１１に対する弁ユニット１５の据付けを少ない労力で容易に行なうことができるとともに、アンダーシンク部１１１における据付け場所の制約を小さくできる。また、２位置切換弁を用いていないため、吐止水にともなう不快な機械的衝撃や衝撃音をなくすことができるとともに、ウォーターハンマーを回避することが可能になる。
【００３７】
（２）温度センサ５１及び流量センサ５２によって吐水の温度及び流量が検出され、設定された流量及び温度の吐水が得られるように、水側比例弁４７及び湯側比例弁４８の開度が調節される。従って、吐水の温度及び流量が常に適正になるように制御される。
【００３８】
（３）混合水の温度が下げられる場合は、湯側比例弁４８の絞り動作が優先されて、湯側比例弁４８の開度が低下された後に、遅延時間を経て水側比例弁４７の開度が高くされる。また、混合水の温度が上げられる場合は、水側比例弁４７の開放動作及び湯側比例弁４８の絞り動作が優先されて、水側比例弁４７及び湯側比例弁４８の開度が高くされた後に、遅延時間を経て、水側比例弁４７の開度が低下されるとともに、湯側比例弁４８の開度が高くされる。従って、混合水の温度を変える場合は、先行して湯の流量を減らしたり、水の流量を増やしたりすることになり、混合水の温度が短時間のうちに高温側に大きく変化することを抑えることができて、水栓使用者に対して違和感が与えられることを回避できる。
【００３９】
（４）混合水の流量が減らされる場合は、湯側比例弁４８の絞り動作が優先されて、湯側比例弁４８の開度が低下された後に、遅延時間を経て水側比例弁４７の開度が低下される。また、混合水の流量が増やされる場合は、水側比例弁４７の開放動作が優先されて、水側比例弁４７の開度が高くされた後に、遅延時間を経て、湯側比例弁４８の開度が高くされる。従って、混合水の流量を変える場合は、前記と同様に、先行して湯の流量を減らしたり、水の流量を増やしたりすることにより、混合水の温度が短時間のうちに高温側に大きく変化することを抑えることができて、水栓使用者に対して違和感が与えられることを回避できる。
【００４０】
（５）混合水の止水に際しては、湯側比例弁４８が閉鎖された後に、水側比例弁４７が閉鎖されるため、止水は、水の吐水状態が止水という過程を経るため、前記と同様に、水栓使用者に対して違和感が与えられることを回避できる。
【００４１】
（６）吐水量限定スイッチ３７のオン操作により、一定量のみの吐水が可能となる。このため、一定量以下の吐水が必要な場合において、水の浪費を回避できる。
（７）前記水側比例弁４７及び湯側比例弁４８をバイパスするバイパス路５６，５７を設けるとともに、そのバイパス路５６，５７を手動により開閉する開閉弁６０，６１を設けたことにより、停電時に水側比例弁４７及び湯側比例弁４８が閉鎖されても、開閉弁６０，６１の操作により、水，湯及び混合水の吐水を得ることができる。
【００４２】
（８）前記弁ユニット１５は、前記給水路４３、給湯路４４、供給路４５、温度センサ５１、流量センサ５２、水側比例弁４７及び湯側比例弁４８をユニット化して構成されている。このため、弁ユニット１５を小型・軽量化できる。
【００４３】
（９）前記供給路４５を境にして、給水路４３と給湯路４４、水側比例弁４７と湯側比例弁４８とがそれぞれ対称状に配置されている。このため、弁ユニット１５の構成が簡単になるとともに、弁ユニット１５の小型・軽量化が可能になる。また、弁ユニット１５の動作が安定する。
【００４４】
（１０）吐水口１４を上方に引出し可能にしたことにより、吐水口１４の吐水部２０を高い位置に配置できる。このため、大きなものを洗浄したりするときに便利であり、使い勝手が向上する。
【００４５】
（変更例）
本発明は、前記実施形態に限定されるものではなく、以下のような態様で具体化してもよい。
【００４６】
・前記実施形態において、温度センサ５１を省略すること。この場合、吐水温度の調節は、温度調節スイッチ３５による設定に従うのみとなる。
・前記実施形態において、流量センサ５２を省略すること。この場合、吐水流量の調節は、流量調節スイッチ３４による設定に従うのみとなる。
【００４７】
・図１及び図３に２点鎖線で示すように、給水路４３及び給湯路４４に、それぞれ温度検出手段としての給水温度センサ７１及び給湯温度センサ７２を設けること。そして、前記制御装置３１は、それらの給水温度センサ７１及び給湯温度センサ７２の検出結果と、前記温度センサ５１の検出結果とに基づいて前記水側比例制御電磁弁４７及び湯側比例制御電磁弁４８の開度を制御するように構成すること。
【００４８】
・バイパス路を給水路４３側あるいは給湯路４４側のみに設けること。
・給水路４３側及び給湯路４４側の双方のバイパス路を省略すること。
・操作パネル３２を省略し、吐止水スイッチ３３，流量調節スイッチ３４，温度調節スイッチ３５を他の位置に設けること。例えば、吐止水スイッチ３３を床面上のフットスイッチにしたり、吐水口１４の外側面に位置する非接触スイッチにしたり、流量調節スイッチ３４，温度調節スイッチ３５を吐水口１４の外側面に位置する非接触スイッチにしたりすること。このように構成すれば、操作パネル３２をキッチンキャビネット１１上に設ける必要がないため、キッチンキャビネット１１上を広く使用できるとともに、キッチンキャビネット１１の意匠性を向上できる。
【００４９】
・給水路４３と給湯路４４とを弁ユニット１５の外部において合流させること。従って、この構成において、供給路４５は、弁ユニット１５の外部に設けられる。
（他の技術的思想）
前記実施形態から把握される技術的思想は以下の通りである。
【００５０】
（Ａ）前記制御手段は、前記設定手段による混合水の吐水温度または吐水流量の調節に際して、水側比例制御電磁弁の開放動作を湯側比例制御電磁弁の動作より優先させる請求項１〜４のうちのいずれか一項に記載の吐水器具。
【００５１】
（Ｂ）前記制御手段は、前記設定手段による混合水の吐水温度または吐水流量の調節に際して、水側比例制御電磁弁の絞り動作を湯側比例制御電磁弁の動作より優先させる請求項１〜４のうちのいずれか一項に記載の吐水器具。
【００５２】
（Ｃ）定量吐水のための吐水量限定スイッチを備え、前記制御手段は、吐水量限定スイッチの動作に基づいて水側比例制御電磁弁を開放させ、所定流量を吐水させる請求項１〜４のうちのいずれか一項に記載の吐水器具。
【００５３】
（Ｄ）前記給水路及び給湯路に、それぞれ給水温度検出手段及び給湯温度検出手段を備え、前記制御手段は、それらの給水温度検出手段及び給湯温度検出手段の検出結果に基づいて前記水側比例制御電磁弁及び湯側比例制御電磁弁の開度を別々に制御する請求項１または２に記載の湯水混合水栓。
【００５４】
（Ｅ）前記供給路を境にして、給水路と給湯路、水側比例制御電磁弁と湯側比例制御電磁弁をそれぞれ対称状に配置した請求項４に記載の吐水器具。
（Ｆ）吐水口を上方に引出し可能にするとともに、吐水口を上方位置において保持するための保持手段を設けた請求項１に記載の吐水器具。
【００５５】
（Ｇ）水側比例制御電磁弁及び湯側比例制御電磁弁を動作させるための操作スイッチを吐水口に設けた請求項１に記載の湯水混合水栓。
【符号の説明】
【００５６】
１４…吐水口、１５…弁ユニット、３１…制御装置、３２…操作パネル、４１…ユニットボディ、４３…給水路、４４…給湯路、４５…供給路、４７…水側比例制御電磁弁、４８…湯側比例制御電磁弁、５６…バイパス路、５７…バイパス路、６０…開閉弁、６１…開閉弁。
【図１】
2017226999.tif 000003
【図２】
2017226999.tif 000004
【図３】
2017226999.tif 000005
【図４】
2017226999.tif 000006
【図５】
2017226999.tif 000007
【図６】
2017226999.tif 000008
【図７】
2017226999.tif 000009
【図８】
2017226999.tif 000010